(57)【要約】    【課題】  表示パネル２０は、下端にバリを有しており支持部において前記バリが引っ掛かり局所的に応力が発生する。そのため、応力が加わっている箇所のみ輝度が高くなり、表示むらが生じる。    【解決手段】  本発明の画像表示装置は、立設された表示パネルの自重を支持するパネルホルダーの支持部に、支持弾性体を具備し、表示パネル下端のバリを覆い、集中応力を抑制することで、表示むらを抑制する。【選択図】    図２
2014157203.tif 000002
【特許請求の範囲】
【請求項１】
立設された表示パネルと、前記表示パネルの周囲および表示面の裏面に位置するパネルホルダーと、前記パネルホルダーに配設され前記表示パネルの自重を下端で支持する支持部を有し、
前記支持部と前記表示パネルの下端での間に支持弾性体を配置することを特徴とする画像表示装置。
【請求項２】
前記支持弾性体は、弾性体である基材部と接着層を有する接着部から成り、前記接着部が、前記支持部と係合されていることを特徴とする請求項１に記載の画像表示装置。
【請求項３】
前記基材部は、シリコーンゴムを主材料とすることを特徴とする請求項１に記載の画像表示装置。
【請求項４】
前記基材部は、該厚さが０．１ｍｍ以上であることを特徴とする請求項１に記載の画像表示装置。
【請求項５】
前記支持弾性体は、弾性体である基材部と接着層を有する接着部と摺動部から成り、前記摺動部が、前記支持部と互いに摺動することを特徴とする請求項１に記載の画像表示装置。
【請求項６】
前記基材部は、シリコーンゴムを主材料とすることを特徴とする請求項５に記載の画像表示装置。
【請求項７】
前記基材部は、該厚さが０．１ｍｍ以上であることを特徴とする請求項５記載の画像表示装置。
【請求項８】
前記表示パネルは、四角形であり横辺で自重を受ける設置方法と、縦辺で自重を受ける設置方法の、２通りの設置方法があることを特徴とする請求項１又は請求項５に記載の画像表示装置。
【請求項９】
前記支持弾性体は、前記表示パネルの少なくとも横辺または縦辺に配置されていることを特徴とする請求項１又は請求項５に記載の画像表示装置。
【請求項１０】
前記表示パネルは、液晶表示パネル、有機ＥＬ表示パネルであることを特徴とする請求項１又は請求項５に記載の画像表示装置。
【発明の詳細な説明】
【技術分野】
【０００１】
本発明は、画像表示装置に関し、特に液晶表示パネルのように表示ムラを改善する構造を有する画像表示装置に適用して有効な技術に関するものである。
【背景技術】
【０００２】
液晶または、有機EL（エレクトロルミネセンス）などの表示パネルは、薄膜デバイスが形成された２枚のガラス基板の間に液晶や有機発光素子などの表示素子を設けたものである。
【０００３】
表示パネルを具備する画像表示装置は、前記表示パネルが収納や接着される金属製のケースが表示面と反対側に配置され、表示面側は金属製のフレームで覆う構成になっている。表示パネルが液晶表示パネルである画像表示装置は、液晶表示パネルと、この液晶表示パネルを照明するバックライトユニット、バックライトユニットからの光を集光する光学シート類を備えている。通常、液晶表示パネルはその背面に、光学シート類、バックライトユニットの順番で配置されている。通常、光学シート類から一定の空間を保つ為と、液晶表示パネル自体を保持する目的から、周囲と背面を覆うように樹脂製のパネルホルダーが配置されている。また、前面には金属製のフレームが配置され、前記パネルホルダーと前記フレームによりクッション等の弾性体を介して狭持されている。
【０００４】
表示パネルの製造方法について説明すると、表示パネルを構成するガラス基板は、大型マザーガラス基板を切断して得られる。切断はダイヤモンドカッターを用いてスクライブおよびブレークによって行われるため、ガラス基板の端面はバリが生じる。液晶表示パネルや有機EL等の表示デバイスはガラス基板で構成されており、このような現象が起こりうる。
【０００５】
画像表示装置を直立させたとき、表示パネルの下端がパネルホルダーに接触している。このとき、表示パネルの自重とバリの影響により、表示パネルの下端がパネルホルダーに引っ掛かかることがあり、表示パネルが元の位置に戻ることができず、わずかに変形することがあった。特に、表示パネルを直接押すことや大きな振動を与えて、端部が保持部材に引っ掛かることで生じた応力は、引っ掛かりが外れない限り解放できない。これが原因となり、表示ムラが生じることがある。
【０００６】
表示パネルは応力を受けることで、局所的に応力が掛かった箇所に表示むらが発生する。
【０００７】
表示パネルの表示領域内に直接静圧や衝撃が加わる場合、画面全体に対して局所的に応力が加わることが多い。特に表示パネルが液晶表示パネルの場合、液晶の配向のずれは局所的に生じる。
【０００８】
そのため、応力が加わっている位置のみ局所的に入射光を透過し、それ以外の位置では遮断するため、画面全体では黒表示を行っているが部分的に輝度が高くなり、表示むらが生じる。
【０００９】
これを回避するために、表示パネルに加わる応力を一時的に軽減する構造が図られている（特許文献１）。
【先行技術文献】
【特許文献】
【００１０】
【特許文献１】特開２０１０−２０４３５７号公報
【発明の概要】
【発明が解決しようとする課題】
【００１１】
本発明の目的は、表示パネルの自重を支持する箇所の集中応力を緩和させ表示むらの発生を抑えるようにした画像表示装置を提供することにある。
【課題を解決するための手段】
【００１２】
本発明の画像表示装置は、立設された表示パネルと、前記表示パネルの周囲および表示面の裏面に位置するパネルホルダーと、前記パネルホルダーに配設され前記表示パネルの自重を下端で支持する支持部を有し、前記支持部と前記表示パネルの下端での間に支持弾性体を配置することを特徴としている。
【００１３】
本発明は表示パネルを保持する画像表示装置であって、表示パネルの支持部に弾性体を有することを特徴とする画像表示装置である。
【発明の効果】
【００１４】
本発明により、表示パネルの支持部に弾性体を具備することで、表示パネルの自重を支持する箇所の集中応力を緩和させ表示むらの発生を抑える。
【図面の簡単な説明】
【００１５】
【図１】本発明の実施の形態に係る画像表示装置の分解斜視図である。
【図２】本発明の実施の形態に係る表示パネルの支持構造を示す斜視図である。
【図３】本発明の実施の形態に係る画像表示装置の図２のＡ−Ａにおける断面図である。
【図４】本発明の実施の形態に係る画像表示装置の支持構造を示す正面図である。
【図５】本発明の実施の形態に係る表示パネルの支持部を示す断面詳細図である。
【図６】本発明の第２の実施の形態に係る表示パネルの支持構造を示す斜視図である。
【図７】本発明の第２の実施の形態に係る画像表示装置の図６のＢ−Ｂにおける断面図である。
【図８】本発明の第２の実施の形態に係る表示パネルの支持状態を説明する図６のＣ−Ｃの断面図である。
【図９】本発明の第３の実施の形態に係る画像表示装置の正面図である。
【図１０】本発明の第３の実施の形態に係る表示パネルの支持構造を示す斜視図である。
【図１１】画像表示装置の表示むらを示すである。
【図１２】表示むらが生じる箇所の表示パネルの要部断面図である。
【発明を実施するための形態】
【００１６】
（実施例１）
以下、本発明に係る第１の実施形態について説明する。
【００１７】
図１は、本は追目の実施の形態の係る画像表示装置の分解斜視図である。この実施例では表示パネルに液晶表示パネルを用いた場合を例に説明する。
【００１８】
画像表示装置１はフレーム１０、表示パネル２０、パネルホルダー３０、光学シート４０、反射シート５０、基板６０、ケース７０を含んで構成される。フレーム１０は金属を用いることが多く、プレス加工や機械加工により形成されるが、樹脂成型された構成でも良い。パネルホルダー３０は樹脂成型されたものが好適であるが、金属材料で形成されても良く、光学シート４０から一定の空間を保つように表示パネル２０を保持し収納する。
【００１９】
光学シート４０はバックライトユニット８０からの光を拡散する。反射シート５０は光源の光を反射する。基板６０にはＬＥＤ（Ｌｉｇｈｔ  Ｅｍｉｔｔｉｎｇ  Ｄｉｏｄｅ）やＣＣＦＬ（Ｃｏｌｄ  Ｃａｔｈｏｄｅ  Ｆｌｕｏｒｅｓｃｅｎｔ  Ｌａｍｐ）等の光源６１が実装される。また、バックライト方式にも、直下型、エッジライト型などが挙げられるが、いずれの方式にも本発明の構成は好適である。ケース７０は光学シート４０、反射シート５０、及び基板６０を収納する。パネルホルダー３０、光学シート４０、反射シート５０、基板６０、及びケース７０によりバックライトユニット８０が構成され、バックライトユニット８０により表示パネル２０が照明される。
【００２０】
図２は、本発明の実施の形態に係る表示パネルの支持構造を示す斜視図である。また、図３は、本発明の実施の形態に係る画像表示装置の図２のＡ−Ａにおける断面図である。
【００２１】
図２は、表示パネル２０がバックライト８０内に立設されている状態である。パネルホルダー３０の正面凹部に表示パネル２０が配置され、表示パネル２０の上部には映像信号を送出する表示制御基板２０ｐと、それらを接続するＦＰＣ２０ｆが配置されている。パネルホルダー３０の下部にはパネルホルダー３０と一体化された支持部３０ａが備えられ、その上に支持弾性体３１が具備されている。表示パネル２０は、支持弾性体３１の上部に設置されており、表示パネル２０の自重を支持している。
【００２２】
図３で説明すると、表示パネル２０は第一クッション１１と第二クッション１２で挟持され、前面方向は第一クッション１１を介してフレーム１０で保持されている。一方、表示パネル２０の下端は、支持弾性体３１で支持されている。
【００２３】
図４は、本発明の実施の形態に掛かる画像表示装置の支持構造を示す正面図である。
【００２４】
表示パネル２０は、表示面側の第一ガラス基板２０ａとバックライト側の第二ガラス基板２０ｂで構成されており、それらの下端部は、端部２０ｅと封止部２０ｄで構成されている。封止部２０ｄは、第一ガラス基板２０ａと第二ガラス基板２０ｂの間には液晶を注入するためである。封止部２０ｄは、表示パネル２０の外形寸法がバラついたり、強度が高くない。よって、この部分で表示パネル２０の自重を支持すると、表示領域がバラついたり、振動や衝撃に弱くなる可能性がある。従って、支持弾性体３１は、封止部２０ｄではなく、端部２０ｅに相当する部分に配置するのが良い。
【００２５】
図５は、本発明の実施の形態に係る表示パネルの支持部を示す断面詳細図である。
【００２６】
表示パネル２０の第一ガラス基板２０ａと第二ガラス基板２０ｂの合わせ部には、表示パネル製造時に生じたバリ２０ｃが存在する。また、支持弾性体３１は基材部３１ａと接着部３１ｂで構成されており、支持部３０ａに接着部３１ｂで固定されている。前記バリ２０ｃは、基材部３１ａに食い込むことができる。即ち、基材部３１ａは、弾性体で生成されているため、その柔軟性でバリ２０ｃの凹凸を吸収できる。従来であれば、一部だけバリ２０ｃの高さｔ１が高い場合、その部分に局所応力が発生し表示むらが起きるが、前述のように、バリ２０ｃを吸収するので、表示むらの発生を抑制できる。
【００２７】
また、画像表示装置に振動や衝撃、外力が加わった時、表示パネル２０は、方向Ｄに動こうとする。従来の様にバリ２０ｃが直接支持部３０ａに当接する場合、バリ２０ｃが引っ掛かりを起こすが、支持弾性体３１はその柔軟性で、元の位置に戻ることができる。つまり、表示パネル２０が、該位置を変える毎に表示パネル２０に掛かる応力が変化し、表示むらが変化したが、本発明では、表示むらの変化も抑制することができる。
【００２８】
バリ２０ｃの高さｔ１は、通常０．１ｍｍ程度である。従って、基材部３１ａの厚さは、０．１ｍｍ以下だと、基材部３１ａを貫通する可能性があり、効果が得られにくいと考えられる。従って、基材部３１ａの厚さは、０．１ｍｍ以上が望ましい。
【００２９】
また、基材部３１ａの材質は、バリ２０ｃの形状が鋭利であるため、ウレタンフォームの様な発泡体だと、劣化が進みやすい。本実施ではシリコーンゴム系材料を設定した。この場合、画像表示装置の発熱の影響も鑑みて比較的耐熱性もあり、支持弾性体の材質として適している。
【００３０】
（実施例２）
以下、本発明に係る第２の実施形態について説明する。
【００３１】
図６は、本発明の第２の実施の形態に係る表示パネルの支持構造を示す斜視図である。また、図７は、本発明の第２の実施の形態に係る画像表示装置の図６のＢ−Ｂにおける断面図である。
【００３２】
図６は図２同様、立設されたパネル２０がバックライト８０内に配置されている状態である。表示パネル２０はパネルホルダー３０の支持部３０ａ上に位置しており、支持弾性体３２で自重を支持している。図７は図６のＢ−Ｂでの断面において、表示パネル２０の支持部近傍での詳細図を示している。支持弾性体３２は、実施例１とは異なり３層の構成になっている。支持弾性体３２は、基材部３２ａ、接着部３２ｂ、摺動部３２ｃの３層から構成されている。
【００３３】
実施例１では、支持弾性体の接着部は、パネルホルダー３０の支持部３０ａと接着により固定されていたが、本実施例では、摺動部３２ｃは支持部３０ａと摺動するようになっている。実施例１同様に、表示パネル２０の第一ガラス基板２０ａと第二ガラス基板２０ｂのバリ２０ｃは、基材部３２ａに食い込んでおり、表示パネル２０がＤ１の方向に動いた時、支持弾性体３２も同様にＤ２の方向に連動する。振動や衝撃が表示パネルの伝わった時、実施例１のような構成であれば、基材部の柔軟性で微小な変位は吸収できる。しかし、液晶表示パネルを始めとする、表示パネル２０は第一ガラス基板の表面および第二ガラス基板２０ｂの背面に偏光板が貼り付けられている。この偏光板は、吸湿性があり、表示パネル周囲の湿度に影響され伸縮する。
【００３４】
すると、表示パネル２０は、表示面の中央が手前に反ったり、バックライト側に反ったりする。その反り量は、０．数ｍｍから数ｍｍである。表示パネルが反った時、従来のパネルホルダーでは、支持部において、表示パネルのバリが引っ掛かり、その部分で表示パネルに応力が掛かり、表示むらが発生する。
【００３５】
図８は、図６の本発明の第２の実施の形態に係る表示パネルの支持状態を説明する図６のＣ−Ｃの断面図である。
【００３６】
前述のとおり図６は表示パネル２０が、周囲の湿度変化で反った時の様子を表した図である。この時、表示パネル２０は、高湿時に置かれた状態で、２０ｗで表される点線の位置まで反ったことを示している。表示パネル２０の下端は支持弾性体３２に食い込んでいるため、表示パネル２０が反ると、支持弾性体３２は、パネルホルダー３０の支持部３０ａ（図８では図示せず）に対して摺動する。支持弾性体３２は３２ｗで表される点線まで動くことができる。つまり、周囲環境により表示パネルが反っても、支持部の引っ掛かりで表示パネルに応力が掛からず、表示むらを抑制することができる。
【００３７】
なお、本実施例では、高湿時に表示パネルの外周部が表示面外側に反る状態であるが、表示パネルの構成によっては、逆方向に反る場合もありうる。
【００３８】
（実施例３）
以下、本発明に係る第３の実施形態について説明する。
【００３９】
図９は、本発明の第３の実施の形態に係る画像表示装置の正面図である。また、図１０は、本発明の第３の実施の形態に係る表示パネルの支持構造を示す斜視図である。
【００４０】
図９（ａ）において、画像表示装置１はＹ方向を上側、即ち、−Ｙ方向が重力方向として設置されている。画像表示装置１の使用方法として図９（ａ）は、ランドスケープとして使用する場合である。静止画編集等で使用する場合は、画像表示装置を縦方向で使用する場合がある。図９（ｂ）は、前述した場合の使用方法で、ポートレートとして使用する場合である。この時重力方向はＸ方向である。
【００４１】
図１０で説明すると、ランドスケープとして使用する場合は、−Ｙ方向で自重を支持するため、実施例１で説明した支持弾性体は、支持弾性体３１ｈとして、支持部３０ａの上部に設置されている。ポートレートで使用する場合は、表示パネル２０の自重を、パネルホルダー３０の支持部３０ｂで支持することになるので、支持弾性体３１ｖが支持部３０ｂの左側に設置されている。断面Ｅ−Ｅおよび断面Ｄ−Ｄで表される構造は、実施例１の図５同様である。また、実施例２と同じ構成をとっても良い。
【００４２】
画像表示装置が使用される用途に応じ、表示パネルの自重が掛かる箇所に適宜、支持弾性体を配置することで、様々な設置環境での表示むら抑制が可能である。
【００４３】
図１１は、画像表示装置の表示むらを示す図である。
【００４４】
画像表示装置１は表示パネル２０を金属製で枠状のフレーム１０で覆われている。この時、表示パネル２０は全画面黒表示がされている状態であり、前記表示パネル２０の下部では、表示むらＭが示されている。表示むらＭは、表示パネル２０が全画面黒表示されている場合に、部分的に輝度の高い領域である。部分的に輝度が高いため、白浮きして見え、表示品位が低下する。
【００４５】
図１２は、図１１のＦ−Ｆでの断面図である。
【００４６】
表示パネル２０は表示面側の第一ガラス基板２０ａと背面側の第二ガラス基板２０ｂで構成されている。その両側を第一クッション１１と第二クッション１２で挟持されている。また、その下部に樹脂製のパネルホルダー３０で表示パネル２０の自重を支持している。画像表示装置１の振動あるいは静圧が加わると、表示パネル２０は矢印Ｄの方向に移動し、図１２ではＬの位置に移動したとする。すると、表示パネル２０の下部にはバリ２０ｃが突出しており、パネルホルダー３０に引っ掛かり元に位置に戻らない。この時、第一クッション１１からは、表示パネル２０に荷重Ｆ１が掛かる。この時、表示パネル２０に局所的に応力が掛かり、この箇所に表示むらが生じる。
【００４７】
液晶表示パネルに関して説明すると、電圧を印可しない状態において入射光の透過率が最大になり白表示を行うノーマリーホワイトの表示形態がある。もしくは透過率最少で黒表示を行うノーマリーブラックと呼ばれる表示形態をもつ液晶表示装置がある。電圧印可による液晶の配向の制御を行わず、かつ画面全体を同一輝度として表示する映像のため、顕著に輝度むらが生じる。
【符号の説明】
【００４８】
１    映像表示装置
１０  フレーム  
２０  液晶表示パネル
２０ａ  液晶表示パネル端面
２０ｂ  液晶表示パネル背面
３０  パネルホルダー
３０ａ  支持部
３０ｂ  弾性体
３１・３２  支持弾性体
４０  光学シート
５０  反射シート
６０  基板
６０ａ  光源
７０  ケース
８０  バックライトユニット
【図１】
2014157203.tif 000003
【図２】
2014157203.tif 000004
【図３】
2014157203.tif 000005
【図４】
2014157203.tif 000006
【図５】
2014157203.tif 000007
【図６】
2014157203.tif 000008
【図７】
2014157203.tif 000009
【図８】
2014157203.tif 000010
【図９】
2014157203.tif 000011
【図１０】
2014157203.tif 000012
【図１１】
2014157203.tif 000013
【図１２】
2014157203.tif 000014